(57)【要約】【課題】店舗の販売集計データを、キャッシュレジスタの操作者とは別の店舗責任者等の送信先端末に送信し、報知する。【解決手段】予め定めた登録業務時間帯における販売データから販売集計データを作成する電子式キャッシュレジスタ１０に、ＰＨＳ携帯電話通信網１２０に接続される通信モジュールであるＰＨＳ通信ユニット３０を配置して、販売集計データを送信管理サーバ５０に送信し、送信管理サーバ５０から販売集計データを指定された携帯電話７０にメールとして送信する。【選択図】図１
2008176484.tif 000002
【特許請求の範囲】
【請求項１】
予め定めた登録業務時間帯における販売データから販売集計データ作成するデータ処理部と、前記販売データ及び前記販売集計データを記憶する記憶部と、
所定の指示により、前記集計記憶部に記憶された前記販売集計データを出力する出力手段と、を備える電子式キャッシュレジスタにおいて、
前記所定の指示に基づいて上記集計記憶部に記憶された登録業務時間帯に関する販売商品の販売集計データをコードデータに変換するデータ変換手段と、
データ変換手段において変換されたコードデータを予めユーザが指定した送信先に通信網を介して送信するための送信モジュールと、
を備えることとしてなる電子式キャッシュレジスタ。
【請求項２】
上記集計記憶部に記憶され、一定の集計方式に基づき、データ変換手段によりコードデータに変換する販売集計データには、登録業務時間帯に入力された販売商品の販売金額合計データ、あるいは商品別の販売金額合計データが含まれることを特徴とする請求項１記載の電子式キャッシュレジスタ。
【請求項３】
無線送信モジュールにおいて予めユーザが指定した送信先は、メール受信機能を有するＰＨＳ受信端末、携帯電話端末、モバイル端末、コンピュータを含む端末装置であることを特徴とする請求項１又は２に記載の電子式キャッシュレジスタ。
【請求項４】
請求項１又は２に記載の電子式キャッシュレジスタと、前記電子式キャッシュレジスタの無線伝送モジュールで指定された送信先である管理サーバとを備え、
前記管理サーバは、前記ＰＨＳ携帯電話網に接続されると共に、他の通信網に接続されており、
前記管理サーバは、前記他の通信網に属する転送先であって予めユーザが指定した個所に関するアドレスデータを格納するデータ格納部と、
前記電子式キャッシュレジスタからコードデータを受信したとき、当該コードデータを前記アドレスデータに転送する転送手段と、
を備える電子式キャッシュレジスタ管理システム。
【請求項５】
前記転送先は、メール受信機能を有するＰＨＳ受信端末、携帯電話端末、モバイル端末、パーソナルコンピュータ端末を含む端末装置である請求項４に記載の電子式キャッシュレジスタ管理システム。
【発明の詳細な説明】
【技術分野】
【０００１】
本発明は、１日の売上データ、一定時間帯における店舗の商品別売上データなど一定の集計方式によるデータを、操作者とは別の予め指定された送信先にいち早く送信し、報知することができる電子式キャッシュレジスタ及び電子式キャッシュレジスタ管理システムに関する。
【背景技術】
【０００２】
一般に電子式キャッシュレジスタには、点検／精算機能が備えられている。即ち、電子式キャッシュレジスタでは、１日あるいは一定時間に係る登録業務時間帯に入力された販売データを点検する点検処理操作を行う場合、専用キーポジションで特定のキーを押動して点検処理を実行することができる。またこのような電子式キャッシュレジスタでは、１日あるいは一定時間に係る登録業務時間帯に入力された販売データを精算する精算処理操作を行う場合、前記点検処理のときとは異なる専用キーポジションで特定のキーを押動して精算処理を実行することができる。
【０００３】
このような点検／精算機能が備えられた電子式キャッシュレジスタにおいては、１日あるいは一定時間に係る登録業務時間帯に入力された販売データを順次記録して記憶し、さらに一定の集計方式に基づき、販売集計データとして記憶する集計記憶部と、点検又は精算キーの操作により、上記集計記憶部に記憶された登録業務時間帯に入力された販売商品の販売集計データを出力し、印字するデータ処理手段とが備えられる。即ち、データ処理手段は、点検処理操作あるいは精算処理操作が実行された状態において、登録業務時間帯に入力された販売商品の販売金額合計データや商品別の販売金額合計データなど、予めユーザが設定する集計方式に基づくデータをレシートに印字し、出力することを可能にしている。
【０００４】
点検／精算機能を有する電子式キャッシュレジスタについては、特許文献１に記載がある。特許文献１には、集計レポートの種類毎に、そのレポートを点検業務時に出力するか精算業務時に出力するか点検及び精算業務時に出力するかを指定する出力指定データを記憶するレポート組合せテーブルを設け、このレポート組合せテーブルに記憶されたデータに基づいて、点検業務時には、点検業務時に出力することが指定された種類のレポートと点検及び精算業務時に出力することが指定された種類のレポートとを出力し、精算業務時には、精算業務時に出力することが指定された種類のレポートと点検及び精算業務時に出力することが指定された種類のレポートとを出力する電子式キャッシュレジスタが記載されている。
【特許文献１】特開２００４−１９２０２５号公報
【発明の開示】
【発明が解決しようとする課題】
【０００５】
ところで、このような電子式キャッシュレジスタが使用される店舗には、店舗責任者や店舗管理者が複数の店舗を統合的に管理している場合や、店舗のオーナが店員にレジスタの管理を任せ、仕入れ等の他の業務に従事している場合がある。このような場合、店舗責任者、店舗管理者あるいは店舗オーナにおいては、登録業務時間帯に入力された販売商品の販売データや、登録業務時間帯に入力された販売商品の販売金額合計データや商品別の販売金額合計データなどを知りたい場合、実際にキャッシュレジスタのある店舗まで出かけ、その都度に点検／精算処理を実行してレシートに印字して確認しなければならなかった。
【０００６】
また、こうした店舗の販売データを店舗責任者、店舗管理者あるいは店舗オーナがいち早く知りたい場合、例えばキャッシュレジスタを操作する店員等に電話等で依頼し、点検／精算処理を実行してもらってデータの印字出力し、その報告してもらう方法もあるが、店員が店舗の忙しい時間や他の店舗業務に従事しているときにオーナ等からこうした依頼がなされた場合、店舗業務に支障が生じるケースもあった。
【０００７】
そこで本発明は、１日あるいは一定時間帯における店舗の売上合計データ、商品別売上データなど一定の集計方式によるデータを、操作者とは別の店舗責任者や店舗管理者など送信先端末に送信し、報知することを可能とする利便性の高い電子式キャッシュレジスタを提供することを目的とする。
【課題を解決するための手段】
【０００８】
請求項１の発明は、予め定めた登録業務時間帯における販売データから販売集計データ作成するデータ処理部と、前記販売データ及び前記販売集計データを記憶する記憶部と、所定の指示により、前記集計記憶部に記憶された前記販売集計データを出力する出力手段と、を備える電子式キャッシュレジスタにおいて、前記所定の指示に基づいて上記集計記憶部に記憶された登録業務時間帯に関する販売商品の販売集計データをコードデータに変換するデータ変換手段と、データ変換手段において変換されたコードデータを予めユーザが指定した送信先に通信網を介して送信するための送信モジュールと、を備えることとしてなる、電子式キャッシュレジスタである。
【０００９】
請求項２の発明は、請求項１記載の電子式キャッシュレジスタにおいて、上記集計記憶部に記憶され、一定の集計方式に基づき、データ変換手段によりコードデータに変換する販売集計データには、登録業務時間帯に入力された販売商品の販売金額合計データ、あるいは商品別の販売金額合計データが含まれることを特徴とする。
【００１０】
請求項３の発明は、請求項１又は２に記載の電子式キャッシュレジスタにおいて、無線送信モジュールにおいて予めユーザが指定した送信先は、メール受信機能を有する、ＰＨＳ受信端末、携帯電話端末、モバイル端末、コンピュータを含む端末装置であることを特徴とする。
【００１１】
請求項４の発明は、請求項１又は２に記載の電子式キャッシュレジスタと、前記電子式キャッシュレジスタの無線伝送モジュールで指定された送信先である管理サーバとを備え、前記管理サーバは、前記ＰＨＳ携帯電話網に接続されると共に、他の通信網に接続されており、前記管理サーバは、前記他の通信網に属する転送先であって予めユーザが指定した個所に関するアドレスデータを格納するデータ格納部と、前記電子式キャッシュレジスタからコードデータを受信したとき、当該コードデータを前記アドレスデータに転送する転送手段と、を備える電子式キャッシュレジスタ管理システムである。
【００１２】
請求項５の発明は、請求項４の電子式キャッシュレジスタ管理システムにおいて、前記転送先は、メール受信機能を有するＰＨＳ受信端末、携帯電話端末、モバイル端末、パーソナルコンピュータ端末を含む端末装置であることを特徴とする。
【発明の効果】
【００１３】
本発明によれば、所定キーが操作されると、データ変換手段によってコードデータに変換された販売集計データは、無線送信モジュールによりＰＨＳ携帯電話網により指定された送信先に送信されるから、店舗の売上合計データ、商品別売上データなど一定の集計方式によるデータを、電子式キャッシュレジスタの操作者とは別の店舗責任者や店舗管理者など送信先端末に送信され、これらのデータを送信先で確認することができるという効果を有する。
【発明を実施するための最良の形態】
【００１４】
以下本発明を実施するための最良の形態を図面に基づいて説明する。まず電子式キャッシュレジスタ管理システムの全体構成について説明する。図１は実施例に係る電子式キャッシュレジスタ管理システムを示すブロック図である。本例に係る電子式キャッシュレジスタ管理システムにおいて、店舗１１０には本発明に係る電子式キャッシュレジスタ１０が配置されている。また、この電子式キャッシュレジスタ１０には、通信網であるＰＨＳ携帯電話通信網１２０に接続される通信モジュールであるＰＨＳ通信ユニット３０が接続されており、ＰＨＳ通信ユニット３０は、ＰＨＳ携帯電話通信網１２０を経て予め登録された管理センター１３０に配置された送信管理サーバ５０と交信ができるように構成されている。尚、通信網としては、ＰＨＳ携帯電話通信網に代え、有線式あるいは他の無線通信網を採用することができる。
【００１５】
また、送信管理サーバ５０は、インターネット通信網１４０に接続されており、予め登録された店舗オーナ等の携帯電話７０にメール送信ができるように構成されている。
【００１６】
本例の電子式キャッシュレジスタ管理システムにおいて、電子式キャッシュレジスタ１０は以下の構成を備える。図２は電子式キャッシュレジスタ管理システムの電子式キャッシュレジスタの概略構成を示すブロック図である。電子式キャッシュレジスタ１０は、制御部であるＣＰＵ１１と、固定データを格納したＲＯＭ１２、ワークエリアとして使用されるＲＡＭ１３、ＯＳや処理プログラム等が格納される他、販売データ及び前記販売集計データを記憶するハードディスクドライブ１４がバス２０で接続されている。また、バス２０には、それぞれ図示していない接続インタフェースを介して、レシートプリンタ１６、オペレータ表示部１７、顧客表示部１８、キーボード等の入力部１９が接続されている。本例では、バス２０には、ＲＳ２３２Ｃインタフェース４０を介して無線通信モジュールであるＰＨＳ通信ユニット３０が接続されている。尚、図中符号３１はＰＨＳ通信ユニット３０のアンテナを示している。
【００１７】
このような構成により、電子式キャッシュレジスタ１０においては、ＣＰＵ１１がハードディスクドライブ１４に格納された処理プログラム実行することにより、予め定めた登録業務時間帯における販売データから販売集計データ作成しデータ処理部と、コードデータに変換するデータ変換手段とを実現している。
【００１８】
次に電子式キャッシュレジスタ１０の動作について説明する。図３は電子式キャッシュレジスタの作動を示すフローチャートである。電子式キャッシュレジスタ１０は、通常の営業時間帯において売上登録処理を実行している。例えば精算キーが押下される等の所定の指示がされると（ＳＴ１１）、電子式キャッシュレジスタ１０はＣＰＵ１１は所定の処理を実行して精算処理を行い販売集計データを作成する（ＳＴ１２）。次にＣＰＵ１１は、販売集計データを加工して送信用のコードデータを作成し、ＰＨＳ通信ユニット３０に転送する（ＳＴ１４）。そして、ＰＨＳ通信ユニット３０はＰＨＳ携帯電話通信網１２０を介して送信管理サーバ５０にこのコードデータを送信する（ＳＴ１５）。これにより電子式キャッシュレジスタ１０は、一連の処理を終了する。尚、前記販売集計データから通信用コードデータを作成し、通信を行う処理は精算キーの押下に伴う指示による精算処理の直後に開始することしたが、一定の時刻になると自動的に実行するようにしたり、携帯電話等を利用して外部から通信を介して指示したりするようにしてもよい。
【００１９】
次に送信管理サーバ５０について説明する。図４は電子式キャッシュレジスタ管理システムの送信管理サーバの概略構成を示すブロック図である。送信管理サーバ５０は、制御部であるＣＰＵ５１と、固定データを格納したＲＯＭ５２、ワークエリアとして使用されるＲＡＭ５３、ＯＳや処理プログラム等が格納される他、予め指定された送信先メールアドレス等の送信管理データを記憶するハードディスクドライブ５４がバス６１で接続されている。また、バス６１には、それぞれ図示していない接続インタフェースを介して、プリンタ５６、表示部５７、キーボード等の入力部５９が接続されている。また、本例では、バス６１には、前記ＰＨＳ携帯電話通信網１２０に接続されるＰＨＳ通信インタフェース５５、前記インターネット通信網１４０に接続される通信インタフェース６０が接続されている。
【００２０】
このような構成により、送信管理サーバ５０においては、ＰＨＳ携帯電話通信網１２０を介して電子式キャッシュレジスタ１０からの販売集計データを予め登録された携帯電話７０にメールとしてインターネット通信網１４０を介して送信する。
【００２１】
次に送信管理サーバ５０の動作について説明する。図５は送信管理サーバの作動を示すフローチャートである。送信管理サーバ５０のＣＰＵ５１は、所定のプログラムを実行して、電子式キャッシュレジスタ１０からの送信データを受信すると（ＳＴ２１）、ハードディスクドライブ５４から予め指定されたメールアドレスを取得し（ＳＴ２２）、受信した送信データから送信すべきデータを作成し（ＳＴ２３）、通信インタフェース６０に転送する。通信インタフェース６０はインターネット通信網１４０に転送して、所定の携帯電話７０にこのデータを送信する。これにより送信管理サーバ５０は、一連の処理を終了する。
【００２２】
次に本例に係る電子式キャッシュレジスタ管理システムの全体動作について説明する。図６は電子式キャッシュレジスタ管理システムの動作を示すフローチャート、である。
【００２３】
まず、図４に示すように、通常の営業時間帯において電子式キャッシュレジスタ１０は通事の売上登録処理を実行している（ＳＴ１）。ここで、点検又は精算の処理のため、所定キーが操作されると電子式キャッシュレジスタ１０は点検あるいは精算の処理を実行して販売集計データを作成する（ＳＴ２、）。次にこの点検あるいは精算処理が終了すると、電子式キャッシュレジスタ１０は、販売集計データをコードデータに変換し、ＰＨＳ通信ユニット３０に送信する（ＳＴ４）。そして、送信管理サーバ５０はこの販売集計データを受信して予め指定した携帯電話７０に送信する（ＳＴ５）。携帯電話７０ではこの販売集計データを受信して画面に販売集計表を表示する。
【００２４】
図７は携帯電話での表示状態を示す模式図であり、（ａ）は携帯電話の全体を示す図、（ｂ）は画面の表示状態を示す図である。本例では、携帯電話７０の表示部７１には、図７（ｂ）に示すように、受信メールとして、各部門についての売上額、全部門についての合計売上額が表示される。
【００２５】
以上説明したように、本例に係る電子式キャッシュレジスタ管理システムによれば、電子式キャッシュレジスタの点検・精算結果を携帯電話等に転送することができるから、店舗の売上合計データ、商品別売上データなど一定の集計方式によるデータを、電子式キャッシュレジスタの操作者とは別の店舗責任者や店舗管理者など送信先端末に送信され、これらのデータを送信先で確認することができる。
【００２６】
前記例では送信管理サーバから携帯電話に送信するようにしたが、送信する対象は携帯電話の他、携帯電話端末、モバイル端末、コンピュータ等の端末装置とすることができる。
【図面の簡単な説明】
【００２７】
【図１】実施例に係る電子式キャッシュレジスタ管理システムを示すブロック図である。
【図２】電子式キャッシュレジスタ管理システムの電子式キャッシュレジスタの概略構成を示すブロック図である。
【図３】電子式キャッシュレジスタの作動を示すフローチャートである。
【図４】電子式キャッシュレジスタ管理システムの送信管理サーバの概略構成を示すブロック図である。
【図５】送信管理サーバの作動を示すフローチャートである。
【図６】電子式キャッシュレジスタ管理システムの動作を示すフローチャートである。
【図７】携帯電話での表示状態を示す模式図であり、（ａ）は携帯電話の全体を示す図、（ｂ）は画面の表示状態を示す図である。
【符号の説明】
【００２８】
１０  電子式キャッシュレジスタ
１１  ＣＰＵ
１２  ＲＯＭ
１３  ＲＡＭ
１４  ハードディスクドライブ
１６  レシートプリンタ
１７  オペレータ表示部
１８  顧客表示部
１９  入力部
２０  バス
３０  ＰＨＳ通信ユニット
３１  アンテナ
４０  ＲＳ２３２Ｃインタフェース
５０  送信管理サーバ
５１  ＣＰＵ
５２  ＲＯＭ
５３  ＲＡＭ
５４  ハードディスクドライブ
５５  ＰＨＳ通信インタフェース
５６  プリンタ
５７  表示部
５９  入力部
６０  通信インタフェース
６１  バス
７０  携帯電話
７１  表示部
１１０  店舗
１２０  ＰＨＳ携帯電話通信網
１３０  管理センター
１４０  インターネット通信網
【図３】
2008176484.tif 000003
【図５】
2008176484.tif 000004
【図６】
2008176484.tif 000005
【図１】
2008176484.tif 000006
【図２】
2008176484.tif 000007
【図４】
2008176484.tif 000008
【図７】
2008176484.tif 000009